(57)【要約】【課題】まぐさの調整作業を、無火気で、且つまぐさの外側から全て行うことができ、まぐさ調整時の作業性を向上させることができるシャッター装置の構造及びシャッター装置のまぐさ取付方法を提供する。【解決手段】シャッター装置の構造において、天井ボード２７に開口しシャッターカーテン１９が出入りする出入口スリット２９をスリット幅方向に挟んで配置され天井ボード２７の端縁を覆う一対のまぐさ３５と、一対のまぐさ３５をそれぞれの被固定部材４１に対して、高さ方向及びスリット幅方向の調整範囲の任意位置で締結固定する長穴をＬ字形の水平部及び垂直部に形成した２つの連結固定部材３７と、出入口スリット２９を挟んで配置されたそれぞれの連結固定部材３７の長穴に、上側からまたは出入口スリット側からの挿通方向を除く方向で挿通して連結固定部材３７を被固定部材４１に螺着する調整用ビス３９と、を設けた。【選択図】  図２
2018193765.tif 000002
【特許請求の範囲】
【請求項１】
天井ボードに開口しシャッターカーテンが出入りする出入口スリットをスリット幅方向に挟んで配置され前記天井ボードの端縁を覆う一対のまぐさと、
一対の前記まぐさをそれぞれの被固定部材に対して、高さ方向及び前記スリット幅方向の調整範囲の任意位置で締結固定する長穴をＬ字形の水平部及び垂直部に形成した連結固定部材と、
前記出入口スリットを挟んで配置されたそれぞれの前記連結固定部材の前記長穴に、上側からまたは出入口スリット側からの挿通方向を除く方向で挿通して前記連結固定部材を前記被固定部材に螺着する調整用ビスと、
を具備することを特徴とするシャッター装置の構造。
【請求項２】
請求項１記載のシャッター装置の構造であって、
前記一対のまぐさの一方である外まぐさが、外まぐさ用連結固定部材により、前記被固定部材である躯体枠材に固定され、
前記外まぐさ用連結固定部材は、前記躯体枠材の下端面に固定される第１水平部と、前記第１水平部に直角に垂下して前記外まぐさの垂直固定縁部に固定される第１垂直部とにより、スリット延在方向に直交する断面形状がＬ形のＬアングル部材で形成され、
前記第１水平部に形成される前記長穴が前記スリット幅方向に長く形成され、
前記第１垂直部に形成される前記長穴が上下方向に長く形成されることを特徴とするシャッター装置の構造。
【請求項３】
請求項１または２記載のシャッター装置の構造であって、
前記一対のまぐさの他方である内まぐさが、内まぐさ用連結固定部材により、シャッター装置の巻取軸周りの外周を包囲して支持するコ字形状の吊りアングルの吊りアングル下辺部に固定され、
前記内まぐさ用連結固定部材は、前記内まぐさに付設されたフレームの下端面に固定される第２水平部と、前記第２水平部に直角に垂下して前記吊りアングル下辺部の垂直側面に固定される第２垂直部とにより、前記スリット幅方向に垂直な断面形状がＬ形のＬアングル部材で形成され、
前記第２水平部に形成される前記長穴が前記スリット幅方向に長く形成され、
前記第２垂直部に形成される前記長穴が上下方向に長く形成されることを特徴とするシャッター装置の構造。
【請求項４】
請求項２または３に記載のシャッター装置の構造であって、
前記外まぐさ用連結固定部材及び前記内まぐさ用連結固定部材には、前記長穴の近傍に、固定用ビスが挿通される丸穴が穿設されることを特徴とするシャッター装置の構造。
【請求項５】
請求項４記載のシャッター装置の構造であって、
前記吊りアングル下辺部の吊りアングル水平部には、先端が前記フレームの水平下面に当接する調整用ボルトが螺合されることを特徴とするシャッター装置の構造。
【請求項６】
天井ボードに開口しシャッターカーテンが出入りする出入口スリットをスリット幅方向に挟んで配置され前記天井ボードの端縁を覆う一対のまぐさのそれぞれを、前記スリット幅方向に長い長穴と上下方向に長い長穴とを有した連結固定部材を用いて調整範囲の任意位置で被固定部材に仮固定する仮固定工程と、
前記シャッター装置に補機を取り付ける補機取付工程と、
前記補機取付工程の後に、前記調整用ビスを緩めてそれぞれのまぐさを前記スリット幅方向及び上下方向に位置調整して再締結した後、前記長穴の近傍に設けた丸穴に固定用ビスを挿通して前記まぐさを前記被固定部材に固定する本固定工程と、
を含むことを特徴とするシャッター装置のまぐさ取付方法。
【請求項７】
請求項６記載のシャッター装置のまぐさ取付方法であって、
前記本固定工程において一方の前記まぐさの上下方向の位置調整を、前記被固定部材に螺合して先端が前記まぐさの水平下面に当接する調整用ボルトを回転して行うことを特徴とするシャッター装置のまぐさ取付方法。
【発明の詳細な説明】
【技術分野】
【０００１】
本発明は、シャッター装置の構造及びシャッター装置のまぐさ取付方法に関する。
【背景技術】
【０００２】
防火シャッター等の所謂重量シャッターは、天井より上方に機構部が設けられるため、天井に、シャッターカーテンが出入りする出入口スリットが必要となる。この出入口スリットは、スリット幅方向を挟む一対のまぐさにより構成される。まぐさは、出入口スリットに、スリット幅方向の一方側から接続する天井ボードと、スリット幅方向の他方側から接続する天井ボードとの見切ともなる。一般に、まぐさは、天井仕上げ面に合わせて納める必要がある。このため、天井仕上げ面に対しての高精度な位置だしが要求される。従来、このまぐさは、溶接により壁や下がり壁等の建物躯体側の被固定部材に固定されて位置だしされていた。
【０００３】
ところが、例えば、壁や床、天井等が既に仕上がっている現場や、既設の現場等においては、上記溶接作業時の火の粉や炎（トーチ）の発生を嫌うところがあり、このような現場においては火の粉等がかからないよう周囲を覆っての作業が強いられるという問題がある。
【０００４】
そこで、特許文献１のマグサによれば、マグサ支持部材に対して上下方向位置調節自在に螺子固定される取付け金具に、前後方向位置調節自在に螺子固定されているので、溶接作業を不要にすることができる。
【先行技術文献】
【特許文献】
【０００５】
【特許文献１】特開２０１６−２１１１７２号公報
【発明の概要】
【発明が解決しようとする課題】
【０００６】
しかしながら、重量シャッターは、開口幅（スリット延在方向の寸法）が大きくなれば、フレームも長くなり、長尺になればなるほど自身の重みで中間位置が撓む。まぐさは、取付初期状態で高精度に位置だしされていても、複数の補機がシャッター装置に取り付けられた後に、それらの荷重により新たに撓みが生じる場合がある。この場合、天井仕上げ面に対して位置ズレが生じ、納まりの見栄えが低下する。場合によっては、再調整が必要となることもある。このため、螺子固定により位置調節自在な構造においても、位置だし調整は、補機の最終組付け完了後であっても、容易に調整用ビスの締結作業を可能としたい要請がある。
【０００７】
本発明は上記状況に鑑みてなされたもので、その目的は、まぐさの調整作業を、無火気で、且つまぐさの外側から全て行うことができ、まぐさ調整時の作業性を向上させることができるシャッター装置の構造及びシャッター装置のまぐさ取付方法を提供することにある。
【課題を解決するための手段】
【０００８】
次に、上記の課題を解決するための手段を、実施の形態に対応する図面を参照して説明する。
本発明の請求項１記載のシャッター装置の構造は、天井ボード２７に開口しシャッターカーテン１９が出入りする出入口スリット２９をスリット幅方向に挟んで配置され前記天井ボード２７の端縁を覆う一対のまぐさ３５と、
一対の前記まぐさ３５をそれぞれの被固定部材４１に対して、高さ方向及び前記スリット幅方向の調整範囲の任意位置で締結固定する長穴４３をＬ字形の水平部（５１，７７）及び垂直部（５５，８１）に形成した連結固定部材３７と、
前記出入口スリット２９を挟んで配置されたそれぞれの前記連結固定部材３７の前記長穴４３に、上側からまたは出入口スリット側からの挿通方向を除く方向で挿通して前記連結固定部材３７を前記被固定部材４１に螺着する調整用ビス３９と、
を具備することを特徴とする。
【０００９】
このシャッター装置の構造では、一対のまぐさ３５のそれぞれを、長穴４３で螺着する連結固定部材３７を介して、被固定部材４１に対して固定する。このため、溶接作業を行わずに、まぐさ３５を被固定部材４１に組付けできる。この際、組付けの途中で、長穴４３の長手方向に連結固定部材３７を移動し、被固定部材４１に対するまぐさ３５の位置の微調整を行うことができる。
被固定部材４１に対する連結固定部材３７の固定は、先ず、仮止め状態にできる。仮止め状態とすることにより、高所作業であっても、安全が確保しやすくなり、部材を支持するために必要であった人員の削減も可能となる。
そして、長穴４３を利用して、最終的な位置決めを行うことが可能となるので、高い位置だし精度が得られるようになる。
さらに、まぐさ３５の外側から位置だしのために必要な全ての締結作業が行えるので、他の部材を取り除く作業などが不要となる。調整用ビス３９の締結位置が、手の届く範囲であり、且つ視認可能な位置となることで、良好な作業性が確保される。また、シャッター構成部材の内側へ手を伸ばすなどの作業が無いため、再調整時の作業性も向上する。
【００１０】
本発明の請求項２記載のシャッター装置の構造は、請求項１記載のシャッター装置の構造であって、
前記一対のまぐさ３５の一方である外まぐさ４５が、外まぐさ用連結固定部材４７により、前記被固定部材４１である躯体枠材４９に固定され、
前記外まぐさ用連結固定部材４７は、前記躯体枠材４９の下端面に固定される第１水平部５１と、前記第１水平部５１に直角に垂下して前記外まぐさ４５の垂直固定縁部５３に固定される第１垂直部５５とにより、スリット延在方向に直交する断面形状がＬ形のＬアングル部材で形成され、
前記第１水平部５１に形成される前記長穴４３が前記スリット幅方向に長く形成され、
前記第１垂直部５５に形成される前記長穴４３が上下方向に長く形成されることを特徴とする。
【００１１】
このシャッター装置の構造では、躯体枠材４９に螺合した調整用ビス３９に対して第１水平部５１の長穴４３を介して外まぐさ用連結固定部材４７がスリット幅方向に移動されることで、外まぐさ４５のスリット幅方向の位置調整が可能となる。また、外まぐさ４５の垂直固定縁部５３に螺合した調整用ビス３９に対して第１垂直部５５の長穴４３を介して外まぐさ用連結固定部材４７が上下方向に移動されることで、外まぐさ４５の上下方向の位置調整が可能となる。
【００１２】
本発明の請求項３記載のシャッター装置の構造は、請求項１または２記載のシャッター装置の構造であって、
前記一対のまぐさ３５の他方である内まぐさ６９が、内まぐさ用連結固定部材７１により、シャッター装置１１の巻取軸周りの外周を包囲して支持するコ字形状の吊りアングル３３の吊りアングル下辺部７３に固定され、
前記内まぐさ用連結固定部材７１は、前記内まぐさ６９に付設されたフレーム７５の下端面に固定される第２水平部７７と、前記第２水平部７７に直角に垂下して前記吊りアングル下辺部７３の垂直側面７９に固定される第２垂直部８１とにより、前記スリット幅方向に垂直な断面形状がＬ形のＬアングル部材で形成され、
前記第２水平部７７に形成される前記長穴４３が前記スリット幅方向に長く形成され、
前記第２垂直部８１に形成される前記長穴４３が上下方向に長く形成されることを特徴とする。
【００１３】
このシャッター装置の構造では、内まぐさ６９に付設されるフレーム７５の下端面に螺合した調整用ビス３９に対して第２水平部７７の長穴４３を介して内まぐさ用連結固定部材７１がスリット幅方向に移動されることで、内まぐさ６９のスリット幅方向の位置調整が可能となる。吊りアングル下辺部７３の垂直側面７９に螺合した調整用ビス３９に対して第２垂直部８１の長穴４３を介して内まぐさ用連結固定部材７１が上下方向に移動されることで、内まぐさ６９の上下方向の位置調整が可能となる。
【００１４】
本発明の請求項４記載のシャッター装置の構造は、請求項２または３に記載のシャッター装置の構造であって、
前記外まぐさ用連結固定部材４７及び前記内まぐさ用連結固定部材７１には、前記長穴４３の近傍に、固定用ビス６５が挿通される丸穴６７が穿設されることを特徴とする。
【００１５】
このシャッター装置の構造では、被固定部材４１に螺合している調整用ビス３９を緩め、被固定部材４１に対して外まぐさ用連結固定部材４７及び内まぐさ用連結固定部材７１を移動することにより、まぐさ３５の位置だしが行われる。位置だしの完了後（位置を決定した後）、調整用ビス３９は、締め付けられることで長穴４３を被固定部材４１に固定する。その状態で、固定用ビス６５が丸穴６７に挿通され、被固定部材４１に丸穴６７を介して固定用ビス６５を螺着する。この固定用ビス６５には、ドリルネジを用いることで、穿孔と同時に螺刻、締結が行われる。これにより、長穴４３のみを締結する場合に比べ、連結固定部材３７と被固定部材４１との相対的な位置ズレを一層生じにくくできる。
【００１６】
本発明の請求項５記載のシャッター装置の構造は、請求項４記載のシャッター装置の構造であって、
前記吊りアングル下辺部７３の吊りアングル水平部８５には、先端が前記フレーム７５の水平下面９３に当接する調整用ボルト８７が螺合されることを特徴とする。
【００１７】
このシャッター装置の構造では、吊りアングル水平部８５に螺合する調整用ボルト８７を回転することにより、内まぐさ６９に付設されたフレーム７５を、吊りアングル水平部８５に対して上下移動させることができる。フレーム７５は、真直な部材であるが、長尺な部材であることから、自身の重みで中央が撓む。また、フレーム７５は、シャッター装置１１に全ての補機が組み付けられると、僅かな撓みの生じる場合がある。このような最終調整時に、フレーム７５の撓みを下から押し上げて、調整できるので、その後に組みつけられる天井ボード２７に対して高精度に位置だしすることができる。
【００１８】
本発明の請求項６記載のシャッター装置のまぐさ取付方法は、天井ボード２７に開口しシャッターカーテン１９が出入りする出入口スリット２９をスリット幅方向に挟んで配置され前記天井ボード２７の端縁を覆う一対のまぐさ３５のそれぞれを、前記スリット幅方向に長い長穴４３と上下方向に長い長穴４３とを有した連結固定部材３７を用いて調整範囲の任意位置で被固定部材４１に仮固定する仮固定工程と、
前記シャッター装置１１に補機を取り付ける補機取付工程と、前記補機取付工程の後に、前記調整用ビス３９を緩めてそれぞれのまぐさ３５を前記スリット幅方向及び上下方向に位置調整して再締結した後、前記長穴４３の近傍に設けた丸穴６７に固定用ビス６５を挿通して前記まぐさ３５を前記被固定部材４１に固定する本固定工程と、
を含むことを特徴とする。
【００１９】
このシャッター装置のまぐさ取付方法では、一対のまぐさ３５のそれぞれを、長穴４３で螺着する連結固定部材３７を介して、被固定部材４１に対して固定する。このため、溶接作業を行わずに、まぐさ３５を被固定部材４１に組付けできる。この際、組付けの途中で、長穴４３の長手方向に連結固定部材３７を移動し、位置の微調整を行うことができる。
被固定部材４１に対する連結固定部材３７の固定は、先ず、仮止め状態にできる。仮止め状態とすることにより、高所作業であっても、安全が確保しやすくなり、部材を支持するために必要であった人員の削減も可能となる。
そして、長穴４３を利用して、最終的な位置決めを行うことが可能となるので、高い位置だし精度が得られるようになる。
さらに、まぐさ３５の外側から位置だしのために必要な全ての締結作業が行えるので、その作業での他の部材を取り除く作業などが不要となる。調整用ビス３９の締結位置が、手の届く範囲であり、且つ視認可能な位置となることで、良好な作業性が確保される。また、シャッター構成部材の内側へ手を伸ばすなどの作業が無いため、再調整時の作業性も向上する。
【００２０】
本発明の請求項７記載のシャッター装置のまぐさ取付方法は、請求項６記載のシャッター装置のまぐさ取付方法であって、
前記本固定工程において一方の前記まぐさ３５の上下方向の位置調整を、前記被固定部材４１に螺合して先端が前記まぐさ３５の水平下面９３に当接する調整用ボルト８７を回転して行うことを特徴とする。
【００２１】
このシャッター装置のまぐさ取付方法では、被固定部材４１である吊りアングル水平部８５に螺合する調整用ボルト８７を回転することにより、まぐさ３５の内まぐさ６９に付設されたフレーム７５を、吊りアングル水平部８５に対して上下移動させることができる。フレーム７５は、真直な部材であるが、長尺な部材であることから、自身の重みで中央が撓む。また、フレーム７５は、シャッター装置１１に全ての補機が組み付けられると、僅かな撓みの生じる場合がある。このような最終調整時に、調整用ボルト８７を回転することにより、フレーム７５の撓みを吊りアングル３３に対して下から押し上げて、容易に調整できる。そのため、その後に組みつけられる天井ボード２７に対して高精度に位置だしすることができる。
【発明の効果】
【００２２】
本発明に係る請求項１記載のシャッター装置の構造によれば、まぐさの調整作業を、無火気で、且つまぐさの外側から全て行うことができるので、まぐさ調整時の作業性を向上させることができる。
【００２３】
本発明に係る請求項２記載のシャッター装置の構造によれば、外まぐさ用連結固定部材の長穴を使用して、外まぐさの位置を、躯体枠材に対して高さ方向及びスリット幅方向に容易に調整できる。
【００２４】
本発明に係る請求項３記載のシャッター装置の構造によれば、内まぐさ用連結固定部材の長穴を使用して、内まぐさの位置を、吊りアングルに対して高さ方向及びスリット幅方向に容易に調整できる。
【００２５】
本発明に係る請求項４記載のシャッター装置の構造によれば、位置調整した後に丸孔を用いて固定用ビスを被固定部材に螺着、締結することで、位置ズレ発生を防止して固定することができる。
【００２６】
本発明に係る請求項５記載のシャッター装置の構造によれば、シャッターカーテンの幅長が大きい場合など手で調整が困難な場合に、調整用ボルトを回転することにより、フレームの撓みを解消し、内まぐさの上下方向の位置だしを容易且つ高精度に行うことができる。
【００２７】
本発明に係る請求項６記載のシャッター装置のまぐさ取付方法によれば、まぐさの取付作業を、無火気で行うことができ、また、まぐさの取付位置の調整時の作業を、安全且つ容易に行うことができ、従来のような溶接をはがすことなく、繰り返し行うことができる。
【００２８】
本発明に係る請求項７記載のシャッター装置のまぐさ取付方法によれば、シャッターカーテンの幅長が大きい場合など手で調整が困難な場合に、調整用ボルトを回転することにより、フレームの撓みを解消し、まぐさの位置だしを容易且つ高精度に行うことができる。
【図面の簡単な説明】
【００２９】
【図１】本発明の実施形態に係るシャッター装置の構造を備えるシャッター装置の正面図である。
【図２】図１に示したシャッター装置のスリット幅方向の要部断面図である。
【図３】図２に示した外まぐさ側の分解斜視図である。
【図４】（ａ）は外まぐさ用連結固定部材の斜視図、（ｂ）はその側面図、（ｃ）はその平面図、（ｄ）はその正面図である。
【図５】図２に示した内まぐさ側の分解斜視図である。
【図６】（ａ）は内まぐさ用連結固定部材の斜視図、（ｂ）はその平面図、（ｃ）はその正面図、（ｄ）はその側面図である。
【図７】（ａ）は外まぐさ取付手順における外まぐさ用連結固定部材と外まぐさとの仮止め説明図、（ｂ）は躯体枠材と外まぐさとの仮止め説明図である。
【図８】（ａ）は外まぐさ取付手順における高さ方向調整説明図、（ｂ）は前後方向調整説明図である。
【図９】外まぐさの固定用ビスによる最終固定説明図である。
【図１０】（ａ）はフレームと内まぐさの固定説明図、（ｂ）は内まぐさの吊りアングル下辺部への載置説明図である。
【図１１】（ａ）は調整用ボルトによる内まぐさ上下方向調整説明図、（ｂ）は内まぐさ用連結固定部材と吊りアングルの仮止め説明図である。
【図１２】（ａ）は内まぐさ用連結固定部材とフレームの仮止め説明図、（ｂ）は調整用ボルトによる上下方向の再調整説明図である。
【図１３】（ａ）は第２水平部及び第２垂直部の調整用ビスを緩めることによる位置調整説明図、（ｂ）は内まぐさの固定用ビスによる最終固定説明図である。
【発明を実施するための形態】
【００３０】
以下、本発明に係る実施形態を図面を参照して説明する。
図１は本発明の実施形態に係るシャッター装置の構造を備えるシャッター装置１１の正面図である。
本実施形態に係るシャッター装置の構造は、集合住宅、工場、倉庫、商業施設、地下街、オフィスビル等の建物の開口部等を開閉するシャッター装置１１に適用される。また、シャッター装置の構造は、特に、防火シャッターに用いて好適となる。
【００３１】
シャッター装置の構造の適用されるシャッター装置１１は、主要な機構を覆うケース１３が、天井よりも上方の天井懐１５に設置される。ケース１３は、天井よりも上方の天井懐１５における下がり壁１７（図２参照）或いは梁の側面等に固定される。
【００３２】
ケース１３は、シャッターカーテン１９、巻取シャフト２１等の主要部材の他、開閉機２３、自動閉鎖装置、制御盤等の補機を収容する。巻取シャフト２１は、両端が軸受部によって回転自在に支持される。この軸受部は、下がり壁１７に固定されてケース１３の両側部を塞ぐ一対のブラケットに取り付けられる。巻取シャフト２１は、一端側に固定されたシャフトスプロケットに、開閉機２３からの回転駆動力が伝達されることで正逆回転される。この開閉機２３の回転駆動は、自動閉鎖装置、手動閉鎖装置、操作部２５、検知器（煙感知器、熱感知器またはヒューズ装置）、リミットスイッチ（図示略）等に接続される制御盤によって制御される。
【００３３】
シャッター装置１１は、防火シャッターの場合、開閉体であるシャッターカーテン１９に、鋼製スラットを複数枚連結してなるスラットカーテンが一般的に用いられる。この他、開閉体には、シリカ繊維等の不燃性或いは耐火性のシートを用いたシートシャッターを採用してもよい。
【００３４】
シャッターカーテン１９は、壁部に設けられた開口部の上方で、巻取シャフト２１によって巻き取られて巻回体となる。天井を構成する天井ボード２７には、シャッターカーテン１９が出入りする出入口スリット２９が設けられる。シャッターカーテン１９は、巻回体の繰り出し側を、この出入口スリット２９を通過させ、巻回体を巻き取り・繰り出すことにより、開口部を昇降して開閉する。
【００３５】
シャッターカーテン１９の昇降は、開口部の両側に設けられた一対のガイドレール３１によって案内される。シャッターカーテン１９の繰り出し方向先端には、座板が取り付けられる。座板は、シャッターカーテン１９の閉鎖時、床に着地して床面との間の隙間を塞ぐ。
【００３６】
開口部を開放したシャッターカーテン１９は、ケース１３の内方で、巻取シャフト２１に巻かれた巻回体となって収容される。巻回体を収容しているケース１３は、シャッター装置１１の巻取軸周りの外周を包囲するコ字形状の吊りアングル３３により下がり壁１７に支持される。
【００３７】
図２は図１に示したシャッター装置１１のスリット幅方向の要部断面図である。
本実施形態に係るシャッター装置１１の構造は、一対のまぐさ３５と、２つの連結固定部材３７と、調整用ビス３９（図３、図５参照）と、を有する。
【００３８】
一対のまぐさ３５は、出入口スリット２９をスリット幅方向に挟んで配置され天井ボード２７の端縁を覆い、支持する。
【００３９】
２つの連結固定部材３７は、一対のまぐさ３５をそれぞれの被固定部材４１に対して、高さ方向及びスリット幅方向の調整範囲の任意位置で締結固定する長穴４３をＬ字形の水平部及び垂直部に形成する。
【００４０】
調整用ビス３９は、出入口スリット２９を挟んで配置されたそれぞれの連結固定部材３７の長穴４３に、上側からまたは出入口スリット側からの挿通方向を除く方向、すなわち、出入口スリットを挟む両側からであって両連結固定部材３７の下方からの方向で挿通して連結固定部材３７を被固定部材４１に螺着する。
【００４１】
図３は図２に示した外まぐさ側の分解斜視図である。
なお、本実施形態において、上下前後左右の方向は、図３に示した矢印の方向に従うものとし、前後を外内の方向とする。
一対のまぐさ３５の一方である外まぐさ４５は、外まぐさ用連結固定部材４７により、被固定部材４１である躯体枠材４９に固定される。外まぐさ用連結固定部材４７は、躯体枠材４９の下端面に固定される第１水平部５１と、第１水平部５１に直角に垂下して外まぐさ４５の垂直固定縁部５３に固定される第１垂直部５５とにより形成される。外まぐさ用連結固定部材４７は、これら第１水平部５１及び第１垂直部５５により、スリット延在方向である左右方向に直交する断面形状がＬ形のＬアングル部材で形成される。この外まぐさ用連結固定部材４７は、第１水平部５１に形成される長穴４３がスリット幅方向（前後方向）に長く形成され、第１垂直部５５に形成される長穴４３が上下方向に長く形成される。この長穴４３には、調整用ビス３９が挿通される。
【００４２】
外まぐさ用連結固定部材４７を螺着する調整用ビス３９は、上記のように、上側からまたは出入口スリット側からの挿通方向を除く方向で長穴４３に挿通されて螺着される。「上側からまたは出入口スリット側からの挿通方向を除く方向」とは、この外まぐさ４５側において、より具体的には、前側から及び下側からである。これにより、調整用ビス３９の挿通方向が、上側からまたは出入口スリット側からとなることによる作業性の低下を抑制している。
【００４３】
躯体枠材４９は、左右方向に直交する断面形状が略Ｃ字形状のチャンネル材で、下端面に外まぐさ用連結固定部材４７の第１水平部５１が螺着される。
【００４４】
外まぐさ４５は、垂直固定縁部５３を上方にして、左右方向に直交する断面形状がクランク形状に形成される。外まぐさ４５の下端には、天井ボード２７の端縁を載置する天井ボード載置部５７が上向きコ字形状で形成される。
【００４５】
図４（ａ）は外まぐさ用連結固定部材４７の斜視図、（ｂ）はその側面図、（ｃ）はその平面図、（ｄ）はその正面図である。
外まぐさ用連結固定部材４７は、第１水平部５１と第１垂直部５５に挟まれる内隅部に、略直角三角形状に形成した複数のリブ部材５９が、左右方向の所定間隔で固定されている。リブ部材５９は、水平辺部６１が第１水平部５１に固定され、垂直辺部６３が第１垂直部５５に固定される。これらの固定は、予め工場にて溶接で行われる。
【００４６】
外まぐさ用連結固定部材４７には、第１水平部５１及び第１垂直部５５に形成した長穴４３の近傍に、固定用ビス６５（図３参照）の挿通される丸穴６７が穿設される。固定用ビス６５には、ドリルネジを用いることができる。ドリルネジによれば、穿孔と同時に螺刻を行い、外まぐさ用連結固定部材４７を被固定部材４１に簡便に螺着、締結できる。
【００４７】
図５は図２に示した内まぐさ側の分解斜視図である。
一対のまぐさ３５の他方である内まぐさ６９は、内まぐさ用連結固定部材７１により、吊りアングル下辺部７３に固定される。内まぐさ用連結固定部材７１は、内まぐさ６９に付設されたフレーム７５の下端面に固定される。内まぐさ用連結固定部材７１は、第２水平部７７と、第２水平部７７に直角に垂下して吊りアングル下辺部７３の垂直側面７９に固定される第２垂直部８１とにより形成される。内まぐさ用連結固定部材７１は、これら第２水平部７７及び第２垂直部８１により、スリット幅方向である前後方向に垂直な断面形状がＬ形のＬアングル部材で形成される。この内まぐさ用連結固定部材７１は、第２水平部７７に形成される長穴４３がスリット幅方向（前後方向）に長く形成され、第２垂直部８１に形成される長穴４３が上下方向に長く形成される。この長穴４３には、調整用ビス３９が挿通される。
【００４８】
内まぐさ用連結固定部材７１を螺着する調整用ビス３９は、上記のように、上側からまたは出入口スリット側からの挿通方向を除く方向で長穴４３に挿通されて螺着される。「上側からまたは出入口スリット側からの挿通方向を除く方向」とは、この内まぐさ６９側において、より具体的には、後側（図中左側）から及び下側からである。これにより、調整用ビス３９の挿通方向が、上側からまたは出入口スリット側からとなることによる作業性の低下を抑制している。
【００４９】
フレーム７５は、左右方向に直交する断面形状がＣ字形状のチャンネル材で、側面に外まぐさ４５の垂直固定縁部８３が固定される。これらフレーム７５と垂直固定縁部８３の固定は、予め工場にて溶接で行われる。つまり、フレーム７５と内まぐさ６９とは、一体となった一部材として組み立てられる。
【００５０】
内まぐさ６９は、垂直固定縁部８３を上方にして、左右方向に直交する断面形状がクランク形状に形成される。内まぐさ６９の下端には、外まぐさ４５と同様に、天井ボード２７の端縁を載置する天井ボード載置部５７が上向きコ字形状で形成される。
【００５１】
図６（ａ）は外まぐさ用連結固定部材４７の斜視図、（ｂ）はその平面図、（ｃ）はその正面図、（ｄ）はその側面図である。
内まぐさ用連結固定部材７１には、第２水平部７７及び第２垂直部８１に形成した長穴４３の近傍に、固定用ビス６５の挿通される丸穴６７が穿設される。固定用ビス６５には、上記同様のドリルネジを用いることができる。ドリルネジによれば、穿孔と同時に螺刻を行い、内まぐさ用連結固定部材７１を被固定部材４１に簡便に螺着、締結できる。
【００５２】
図５に示すように、吊りアングル下辺部７３の吊りアングル水平部８５には、下側より調整用ボルト８７が螺合される。吊りアングル水平部８５には透孔と同軸で固定ナット８９が溶接により固定され雌ねじ穴として構成される。調整用ボルト８７は、この固定ナット８９に螺合する。また、調整用ボルト８７の頭部と、吊りアングル水平部８５との間には、緩み止めナット９１が螺着されてもよい。この調整用ボルト８７は、上端となる先端がフレーム７５の水平下面９３に当接する。従って、調整用ボルト８７は、回転により上側へ突出させることにより、フレーム７５を上方へ持ち上げることができる。
【００５３】
次に、シャッター装置のまぐさ取付方法を説明する。
本実施形態に係るシャッター装置のまぐさ取付方法は、仮固定工程と、補機取付工程と、本固定工程と、を有する。
【００５４】
仮固定工程は、天井ボード２７に開口しシャッターカーテン１９が出入りする出入口スリット２９をスリット幅方向に挟んで配置され天井ボード２７の端縁を覆い、支持する一対のまぐさ３５のそれぞれを、スリット幅方向に長い長穴４３と上下方向に長い長穴４３とを有した連結固定部材３７を用いて調整範囲の任意位置で被固定部材４１に仮固定する。
【００５５】
補機取付工程は、シャッター装置１１を構成する各部材、各機構部等である補機を取り付ける。
【００５６】
本固定工程は、補機取付工程の後に、調整用ビス３９を緩めてそれぞれのまぐさ３５をスリット幅方向及び上下方向に位置調整して再締結した後、長穴４３の近傍に設けた丸穴６７に固定用ビス６５を挿通してまぐさ３５を被固定部材４１に固定する。
【００５７】
また、シャッター装置のまぐさ取付方法は、本固定工程において一方のまぐさ３５（内まぐさ６９）の上下方向の位置調整を、被固定部材４１（吊りアングル水平部８５）に螺合して先端がまぐさ３５の水平下面９３（フレーム７５）に当接する調整用ボルト８７を回転して行うことができる。
【００５８】
図７（ａ）は外まぐさ取付手順における外まぐさ用連結固定部材４７と外まぐさ４５との仮止め説明図、（ｂ）は躯体枠材４９と外まぐさ４５との仮止め説明図である。
外まぐさ４５を取り付けるには、先ず、図７（ａ）に示すように、外まぐさ用連結固定部材４７の第１垂直部５５の長穴４３に調整用ビス３９を挿通し、外まぐさ用連結固定部材４７を外まぐさ４５の垂直固定縁部５３に、ドリル穿孔及び螺刻により仮止めする。
【００５９】
次いで、図７（ｂ）に示すように、外まぐさ４５と一体となった外まぐさ用連結固定部材４７の第１水平部５１の長穴４３に調整用ビス３９を挿通し、外まぐさ用連結固定部材４７を躯体枠材４９の下端面に、ドリル穿孔及び螺刻により仮止めする。
【００６０】
外まぐさ４５を仮止めした後、シャッター装置１１に補機を取り付ける。
【００６１】
図８（ａ）は外まぐさ取付手順における高さ方向調整説明図、（ｂ）は前後方向調整説明図である。
補機を取り付けた後、図８（ａ）に示すように、外まぐさ用連結固定部材４７の第１垂直部５５に仮止めした調整用ビス３９を緩め、上下方向の位置調整を行い、再度、調整用ビス３９を締結する。
【００６２】
次いで、図８（ｂ）に示すように、外まぐさ用連結固定部材４７の第１水平部５１に仮止めした調整用ビス３９を緩め、前後方向の位置調整を行い、再度、調整用ビス３９を締結する。
【００６３】
図９は外まぐさ４５の固定用ビス６５による最終固定説明図である。
外まぐさ４５の位置が確定したら、最後に、第１水平部５１及び第１垂直部５５の丸穴６７に固定用ビス６５を挿通し、ドリル穿孔及び螺刻により躯体枠材４９及び外まぐさ４５に外まぐさ用連結固定部材４７を本固定する。本固定された外まぐさ４５の天井ボード載置部５７には、天井ボード２７の端縁が載置される。
【００６４】
図１０（ａ）はフレーム７５と内まぐさ６９の固定説明図、（ｂ）は内まぐさ６９の吊りアングル下辺部７３への載置説明図である。
内まぐさ６９を取り付けるには、先ず、図１０（ａ）に示すように、フレーム７５と内まぐさ６９とを予め固定しておく。なお、内まぐさ６９は、フレーム７５を吊りアングル３３に取り付けた後に、フレーム７５に取り付けられてもよい。次いで、図１０（ｂ）に示すように、内まぐさ６９を固定したフレーム７５を、吊りアングル下辺部７３に載置する。
【００６５】
図１１（ａ）は調整用ボルト８７による内まぐさ上下方向調整説明図、（ｂ）は内まぐさ用連結固定部材７１と吊りアングル３３の仮止め説明図である。
次いで、図１１（ａ）に示すように、吊りアングル水平部８５に螺合した調整用ボルト８７を回転し、上下方向の位置を調整することにより、初期状態における自重撓みを除去する。図１１（ｂ）に示すように、調整されたフレーム７５に、内まぐさ用連結固定部材７１を当てて、内まぐさ用連結固定部材７１の第２垂直部８１の長穴４３に調整用ビス３９を挿通し、内まぐさ用連結固定部材７１を吊りアングル３３の垂直側面７９に、ドリル穿孔及び螺刻により仮止めする。
【００６６】
図１２（ａ）は内まぐさ用連結固定部材７１とフレーム７５の仮止め説明図、（ｂ）は調整用ボルト８７による上下方向の再調整説明図である。
図１２（ａ）に示すように、内まぐさ６９と一体となった内まぐさ用連結固定部材７１の第２水平部７７の長穴４３に調整用ビス３９を挿通し、内まぐさ用連結固定部材７１をフレーム７５に、ドリル穿孔及び螺刻により仮止めする。
【００６７】
内まぐさ６９を仮止めした後、シャッター装置１１に補機を取り付ける。
【００６８】
補機を取り付けた後では、補機の荷重などの影響でフレーム７５及び内まぐさ６９の撓みが発生する場合があるので、図１２（ｂ）に示すように、調整用ボルト８７を再度回転し、上下方向の位置を調整する。位置を決めた後、調整用ボルト８７の緩みを防止するための緩み止めナット９１を締め付ける。
【００６９】
図１３（ａ）は第２水平部７７及び第２垂直部８１の調整用ビス３９を緩めることによる位置調整説明図、（ｂ）は内まぐさ６９の固定用ビス６５による最終固定説明図である。
次いで、図１３（ａ）に示すように、第２垂直部８１の調整用ビス３９を緩め、上下方向の位置調整を行い、再度締結する。
【００７０】
また、第２水平部７７の調整用ビス３９を緩め、前後方向の位置調整を行い、再度締結する。
【００７１】
内まぐさ６９の位置が確定したら、図１３（ｂ）に示すように、最後に、第２水平部７７及び第２垂直部８１の丸穴６７に固定用ビス６５を挿通し、ドリル穿孔及び螺刻によりフレーム７５及び内まぐさ６９に、内まぐさ用連結固定部材７１を本固定する。本固定された内まぐさ６９の天井ボード載置部５７には、上記と同様に、天井ボード２７の端縁が載置される。
【００７２】
次に、上記した構成の作用を説明する。
本実施形態に係るシャッター装置の構造及びシャッター装置のまぐさ取付方法では、一対のまぐさ３５のそれぞれを、長穴４３で螺着する連結固定部材３７を介して、被固定部材４１に対して固定する。このため、溶接作業を行わずに、まぐさ３５を被固定部材４１に組付けできる。この際、組付けの途中で、長穴４３の長手方向に連結固定部材３７を移動し、位置の微調整を行うことができる。
【００７３】
被固定部材４１に対する連結固定部材３７の固定は、先ず、仮止め状態にできる。仮止め状態とすることにより、高所作業であっても、安全が確保しやすくなり、部材を支持するために必要であった人員の削減も可能となる。
【００７４】
そして、長穴４３を利用して、最終的な位置決めを行うことが可能となるので、高い位置だし精度が得られるようになる。
【００７５】
さらに、まぐさ３５の外側から位置だしのために必要な全ての締結作業が行えるので、他の部材を取り除く作業などが不要となる。調整用ビス３９の締結位置が、手の届く範囲であり、且つ視認可能な位置となることで、良好な作業性が確保される。また、シャッター構成部材の内側へ手を伸ばすなどの作業が無いため、再調整時の作業性も向上する。
【００７６】
また、シャッター装置の構造では、躯体枠材４９に螺合した調整用ビス３９に対して第１水平部５１の長穴４３を介して外まぐさ用連結固定部材４７がスリット幅方向（前後方向）に移動されることで、外まぐさ４５の前後方向の位置調整が可能となる。また、外まぐさ４５の垂直固定縁部５３に螺合した調整用ビス３９に対して第１垂直部５５の長穴４３を介して外まぐさ用連結固定部材４７が上下方向に移動されることで、外まぐさ４５の上下方向の位置調整が可能となる。その結果、外まぐさ用連結固定部材４７の長穴４３を使用して、外まぐさ４５の位置を、躯体枠材４９に対して高さ方向及び前後方向に容易に調整できる。
【００７７】
また、シャッター装置の構造では、内まぐさ６９に付設されるフレーム７５の下端面に螺合した調整用ビス３９に対して第２水平部７７の長穴４３を介して内まぐさ用連結固定部材７１が前後方向に移動されることで、内まぐさ６９の前後方向の位置調整が可能となる。吊りアングル下辺部７３の垂直側面７９に螺合した調整用ビス３９に対して第２垂直部８１の長穴４３を介して内まぐさ用連結固定部材７１が上下方向に移動されることで、内まぐさ６９の上下方向の位置調整が可能となる。その結果、内まぐさ用連結固定部材７１の長穴４３を使用して、内まぐさ６９の位置を、吊りアングル３３に対して高さ方向及び前後方向に容易に調整できる。
【００７８】
また、シャッター装置の構造では、被固定部材４１に螺合している調整用ビス３９を緩め、被固定部材４１に対して外まぐさ用連結固定部材４７及び内まぐさ用連結固定部材７１を移動することにより、まぐさ３５の位置だしが行われる。位置だしの完了後、つまり位置を決定した後、調整用ビス３９は、締め付けられることで長穴４３を被固定部材４１に固定する。その状態で、固定用ビス６５が丸穴６７に挿通され、被固定部材４１に丸穴６７を介して固定用ビス６５を螺着する。この固定用ビス６５には、ドリルネジを用いることで、穿孔と同時に螺刻、締結が行われる。これにより、長穴４３のみを締結する場合に比べ、連結固定部材３７と被固定部材４１との相対的な位置ズレを一層生じにくくできる。その結果、位置調整した後に丸孔を用いて固定用ビス６５を被固定部材４１に固定することで、位置ズレ発生を防止することができる。
【００７９】
また、シャッター装置の構造及びシャッター装置のまぐさ取付方法では、吊りアングル水平部８５に螺合する調整用ボルト８７を回転することにより、内まぐさ６９に付設されたフレーム７５を、吊りアングル水平部８５に対して上下移動させることができる。吊りアングル水平部８５に対して上下移動させることができる。フレーム７５は、真直な部材であるが、長尺な部材であることから、自身の重みで中央が撓む。また、フレーム７５は、シャッター装置１１に全ての補機が組み付けられると、僅かな撓みの生じる場合がある。このような最終調整時に、フレーム７５の撓みを下から押し上げて、調整できるので、その後に組みつけられる天井ボード２７に対して高精度に位置だしすることができる。その結果、シャッターカーテン１９の幅長が大きい場合など手で調整が困難な場合に、調整用ボルト８７を回転することにより、内まぐさ６９の上下方向の位置だしを容易且つ高精度に行うことができる。
【００８０】
従って、本実施形態に係るシャッター装置の構造によれば、まぐさ３５の調整作業を、無火気で、且つまぐさ３５の外側から全て行うことができるので、まぐさ調整時の作業性を安全に向上させることができる。
【００８１】
本実施形態に係るシャッター装置のまぐさ取付方法によれば、まぐさ３５の調整作業を、無火気で行うことができるので、まぐさ調整時の作業を、安全且つ容易に、しかも、溶接をはがすことなく繰り返し行うことができる。
【００８２】
なお、上記の構成例では、長穴に１本の調整用ビスを挿通したが、調整用ビスは、長穴に対して１本でも２本でも構わない。また、２つある長穴にそれぞれ調整用ビスを挿通しても、どちらか一方に挿通しても構わない。
【符号の説明】
【００８３】
１１…シャッター装置
１９…シャッターカーテン
２７…天井ボード
２９…出入口スリット
３３…吊りアングル
３５…まぐさ
３７…連結固定部材
３９…調整用ビス
４１…被固定部材
４３…長穴
４５…外まぐさ
４７…外まぐさ用連結固定部材
４９…躯体枠材
５１…第１水平部
５３…垂直固定縁部
５５…第１垂直部
６５…固定用ビス
６７…丸穴
６９…内まぐさ
７１…内まぐさ用連結固定部材
７３…吊りアングル下辺部
７５…フレーム
７７…第２水平部
７９…垂直側面
８１…第２垂直部
８５…吊りアングル水平部
８７…調整用ボルト
９３…水平下面
【図１】
2018193765.tif 000003
【図２】
2018193765.tif 000004
【図３】
2018193765.tif 000005
【図４】
2018193765.tif 000006
【図５】
2018193765.tif 000007
【図６】
2018193765.tif 000008
【図７】
2018193765.tif 000009
【図８】
2018193765.tif 000010
【図９】
2018193765.tif 000011
【図１０】
2018193765.tif 000012
【図１１】
2018193765.tif 000013
【図１２】
2018193765.tif 000014
【図１３】
2018193765.tif 000015